(57)【要約】【課題】    フリッカーを低減しながら、変化のある領域の消費電力を削減する。【解決手段】    本発明の画像表示装置は、複数のフレームを含む画像データを受信し、画像データのフレームを複数の部分に分割したサブフレームの差分を分析し、差分を示す差分データを生成し、差分データを基にサブフレーム毎の画像の更新タイミングであるタイミング信号を生成し、画像データと差分データとタイミング信号とを基にサブフレーム毎に表示データを生成し、表示データと各サブフレームのタイミング信号とを基に各サブフレームの表示を更新する。【選択図】      図１
2013186264.tif 000002
【特許請求の範囲】
【請求項１】
複数のフレームを含む画像データを受信し格納するデータ格納手段と、
前記画像データの前記フレームを複数の部分に分割したサブフレームの差分を分析し、前記差分を示す差分データを生成する画像分析手段と、
前記差分データを基に前記サブフレーム毎の画像の更新タイミングであるタイミング信号を生成するタイミング生成手段と、
前記画像データと前記差分データと前記タイミング信号とを基に前記サブフレーム毎に表示データを生成する表示データ合成手段と、
前記表示データと各サブフレームの前記タイミング信号とを基に各サブフレームの表示を更新する表示手段と
を含む画像表示装置。
【請求項２】
前記タイミング生成手段は、
前記差分データを基に、発生する前記タイミング信号を判定するタイミング判定手段と、
前記タイミング判定手段の判定を基に、タイミング信号を発生するタイミング信号発生手段と
を含む請求項１に記載の画像表示装置。
【請求項３】
前記タイミング信号発生手段は、
所定の基準信号を分周する分周手段と、
前記基準信号を逓倍する逓倍手段と、
前記判定を基に、前記分周手段が分周した信号と前記逓倍手段が逓倍した信号と前記基準信号とから前記タイミング信号を選択する選択手段と
を含む請求項２に記載の画像表示装置。
【請求項４】
前記表示データ合成手段は、
各サブフレーム間の補間フレームのデータを生成するデータ生成手段と、
サブフレームのデータと補間フレームのデータとを組み上げる組み上げ手段と
を含む請求項１乃至請求項３のいずれか１項に記載の画像表示装置。
【請求項５】
前記タイミング信号の周波数を変化させる場合、１つ以上の中間段階の周波数に経由して変化させる、
請求項２乃至請求項４のいずれか１項に記載の画像表示装置。
【請求項６】
複数のフレームを含む画像データを受信し、
前記画像データの前記フレームを複数の部分に分割したサブフレームの差分を分析し、前記差分を示す差分データを生成し、
前記差分データを基に前記サブフレーム毎の画像の更新タイミングであるタイミング信号を生成し、
前記画像データと前記差分データと前記タイミング信号とを基に前記サブフレーム毎に表示データを生成し、
前記表示データと各サブフレームの前記タイミング信号とを基に各サブフレームの表示を更新する
画像表示方法。
【請求項７】
複数のフレームを含む画像データを受信する処理と、
前記画像データの前記フレームを複数の部分に分割したサブフレームの差分を分析し、前記差分を示す差分データを生成する処理と、
前記差分データを基に前記サブフレーム毎の画像の更新タイミングであるタイミング信号を生成する処理と、
前記画像データと前記差分データと前記タイミング信号とを基に前記サブフレーム毎に表示データを生成する処理と、
前記表示データと各サブフレームの前記タイミング信号とを基に各サブフレームの表示を更新する処理と
をコンピュータに実行させるプログラム。
【発明の詳細な説明】
【技術分野】
【０００１】
本発明は、画像表示に関し、特に、表示における電力の消費に関する。
【背景技術】
【０００２】
液晶ディスプレイやプラズマディスプレイといった表示機器を用いて画像を表示する画像表示装置は、所定の頻度で表示を更新する。この頻度は、リフレッシュレート、又は、フレームレートと言われる。
【０００３】
例えば、一般的な、テレビ放送では、１秒間に３０フレームを表示する。そのため、テレビ放送のフレームは、３０Ｈｚのリフレッシュレート（フレームレート）となる。リフレッシュレートの単位は、Ｈｚの代わりに、ｆｐｓ（Frames Per Second）を用いる場合もある。
【０００４】
なお、テレビ放送は、２回の伝送で１枚の絵（フレーム）が完成する２：１インターレース方式を用いる。そのため、テレビ放送のフィールドのリフレッシュレートは、６０Ｈｚである。
【０００５】
近年、高精細度テレビジョン放送など、高精細な画像を表示する画像表示装置が、用いられている。このような高精細な画像表示を表示する画像表示装置は、フリッカー（ちらつき）を低減するため、高いリフレッシュレートを用いる（例えば、特許文献１及び特許文献２を参照）。
【０００６】
ただし、高精密な画像を表示する回路は、高価である。そのため、画像を表示する構成を中央部と周辺部とに分け、中央部を高速（高精密）の動画に対応する構成とし、低コストを実現した表示装置がある（例えば、特許文献３を参照）。
【０００７】
また、画像表示装置において、画像を固定的に表示する状態に比べ、画像を更新するリフレッシュ動作は、消費電力が多い。
【０００８】
そのため、消費電力を考慮すると、リフレッシュレートは、低い方が望ましい。
【０００９】
例えば、静止画のリフレッシュレートを低くして、消費電力を低減する手法が用いられている（例えば特許文献４、特許文献５、及び、特許文献６を参照）。
【００１０】
また、画像の更新の有無を検出し、更新がない場合、リフレッシュレートを低減する液晶表示制御装置がある（例えば、特許文献７を参照）。
【００１１】
また、画像の変化のある部分を検出し、変化のある領域を書き込み（更新し）、変化しない領域を書き込まず（更新しない）、消費電力を削減する液晶表示装置がある（例えば、特許文献８を参照）。
【先行技術文献】
【特許文献】
【００１２】
【特許文献１】特開平０４−３０２２８９
【特許文献２】特開２０１０−０５５１１２
【特許文献３】特開２００１−２９６８４１
【特許文献４】特開２００９−２５１６０７
【特許文献５】英国特許公報２３８１９３１Ａ
【特許文献６】欧州特許公報１２８０１２９Ａ２
【特許文献７】特開２００４−１５１２２２
【特許文献８】特開２０００−２８４７５５
【発明の概要】
【発明が解決しようとする課題】
【００１３】
高精細度の画像を表示する画像表示装置は、多くの表示画素を含むため、消費電力が多くなる。そのため、高精細度の画像表示装置は、消費電力の削減が重要な問題となる。
【００１４】
特許文献１に記載の表示装置及び特許文献２に記載の動画像表示装置は、フレームレートを増加させるため、消費電力が多くなるという問題点があった。
【００１５】
特許文献３に記載の表示装置は、中央部しか高精細度の動画を表示できないという問題点があった。
【００１６】
特許文献４に記載の液晶ディスプレイ用起動回路、特許文献５に記載の表示制御方法、及び、特許文献６に記載の表示装置は、動画での消費電力を削減できないという問題点があった。
【００１７】
特許文献７に記載の液晶表示制御装置は、変化がないフレームにおける消費電力を削減できるが、変化があるフレームにおいて、消費電力を削減できない問題点があった。
【００１８】
特許文献８に記載の液晶表示装置は、変化がない領域の消費電力を削減できるが、変化がある領域、つまり画像を更新する領域の消費電力を削減できないという問題点があった。
【００１９】
本発明の目的は、上記問題点を解決し、フリッカーを低減しながら、変化のある領域（画像を更新する領域）の消費電力を削減する画像表示装置、及び、画像表示方法を提供することにある。
【課題を解決するための手段】
【００２０】
本発明の画像表示装置は、複数のフレームを含む画像データを受信し格納するデータ格納手段と、前記画像データの前記フレームを複数の部分に分割したサブフレームの差分を分析し、前記差分を示す差分データを生成する画像分析手段と、前記差分データを基に前記サブフレーム毎の画像の更新タイミングであるタイミング信号を生成するタイミング生成手段と、前記画像データと前記差分データと前記タイミング信号とを基に前記サブフレーム毎に表示データを生成する表示データ合成手段と、前記表示データと各サブフレームの前記タイミング信号とを基に各サブフレームの表示を更新する表示手段とを含む。
【００２１】
本発明の画像表示方法は、複数のフレームを含む画像データを受信し、前記画像データの前記フレームを複数の部分に分割したサブフレームの差分を分析し、前記差分を示す差分データを生成し、前記差分データを基に前記サブフレーム毎の画像の更新タイミングであるタイミング信号を生成し、前記画像データと前記差分データと前記タイミング信号とを基に前記サブフレーム毎に表示データを生成し、前記表示データと各サブフレームの前記タイミング信号とを基に各サブフレームの表示を更新する。
【００２２】
本発明のプログラムは、複数のフレームを含む画像データを受信する処理と、前記画像データの前記フレームを複数の部分に分割したサブフレームの差分を分析し、前記差分を示す差分データを生成する処理と、前記差分データを基に前記サブフレーム毎の画像の更新タイミングであるタイミング信号を生成する処理と、前記画像データと前記差分データと前記タイミング信号とを基に前記サブフレーム毎に表示データを生成する処理と、前記表示データと各サブフレームの前記タイミング信号とを基に各サブフレームの表示を更新する処理とをコンピュータに実行させる。
【発明の効果】
【００２３】
本発明によれば、フリッカーを低減しながら、変化のある領域（画像を更新する領域）の消費電力を削減できる。
【図面の簡単な説明】
【００２４】
【図１】図１は、本発明における第１の実施形態に係る画像表示装置の構成の一例を示すブロック図である。
【図２】図２は、本実施形態に係るサブフレーム分割の一例を示す図である。
【図３】図３は、本実施形態に係るサブフレームの別の分割の例を示す図である。
【図４】図４は、第１の実施形態に係るタイミング生成部の構成の一例を示すブロック図である。
【図５】図５は、第１の実施形態に係る表示データ合成部の構成の一例を示すブロック図である。
【図６】図６は、第１の実施形態に係る表示データ合成部における動作を説明する図である。
【図７】図７は、第１の実施形態に係る表示部の構成の一例を示すブロック図である。
【図８】図８は、第１の実施形態に係るドライバの分割の一例を示す図である。
【図９】図９は、第１の実施形態に係る表示の変化を説明する図である。
【図１０】図１０は、第１の実施形態に係るタイミング信号の一例を示す図である。
【図１１】図１１は、第１の実施形態に係る画像表示装置の別の構成の一例を示すブロック図である。
【図１２】図１２は、第２の実施形態に係る表示の一例を示す図である。
【図１３】図１３は、第２の実施形態に係る表示の変化を説明する図である。
【図１４】図１４は、第２の実施形態に係るタイミング信号の一例を示す図である。
【発明を実施するための形態】
【００２５】
次に、本発明の実施形態について図面を参照して説明する。
【００２６】
なお、各図面は、本発明の実施形態を説明するものである。そのため、本発明は、各図面の記載に限られるわけではない。また、各図面の同様の構成には、同じ番号を付し、その繰り返しの説明は、省略する場合がある。
【００２７】
（第１の実施形態）
図１は、本発明のおける第１の実施形態に係る画像表示装置１の構成の一例を示すブロック図である。
【００２８】
画像表示装置１は、データ格納部１０と、画像分析部２０と、タイミング生成部３０と、表示データ合成部４０と、表示部５０とを含む。
【００２９】
データ格納部１０は、図示しない撮影装置などから「画像データ」を受信し、格納する。
【００３０】
なお、撮影装置は、デジタルの画像データを出力する装置と、アナログの画像データ（画像信号）を出力する装置がある。撮影装置がデジタルの画像データを出力する場合、データ格納部１０は、デジタルの画像データを受信し、保存すればよい。一方、撮影装置がアナログの画像データ（画像信号）を出力する場合、データ格納部１０は、アナログの画像信号を受信し、図示しないアナログ／デジタル変換部（Ａ／Ｄ変換部）を用いてアナログ信号をデジタル化し、デジタル化した画像データを格納すればよい。なお、Ａ／Ｄ変換部は、画像表示装置１とは別の図示しない外部の装置に含まれてもよい。
【００３１】
また、データ格納部１０は、格納した画像データを、画像分析部２０及び表示データ合成部４０に送信する。
【００３２】
なお、画像データ、特に動画像データは、いろいろなデータの形式が用いられている。本実施形態は、画像データの形式に制限はない。そのため、データ格納部１０は、格納するデータの形式に制限はない。ただし、以下、説明の便宜のため、データ格納部１０は、後ほど説明する表示部５０の１画面（フレーム）を単位としてデータを格納し、フレーム単位で画像データを出力するとして説明する。つまり、以下の説明において、画像データは、フレーム単位のデータとして説明する。そのため、本実施の形態において、画像データは、フレームデータを言うこともできる。
【００３３】
画像分析部２０は、データ格納部１０から画像データを受け取り、複数のフレームの画像データを用いて分析し、フレーム間の差分（差分量）を求める。画像分析部２０は、差分量の生成の手法として、特に制限はない。例えば、画像分析部２０は、フレーム間差分方、背景差分方、又は、ブロックマッチング法を用いてもよい。
【００３４】
ただし、本実施形態の画像分析部２０は、フレームを複数の領域（以下、この領域を、「サブフレーム」と言う。なお、サブフレームは、省略して「サブ」と言う場合もある。）に分割し、各サブフレームについての差分を算出する。
【００３５】
そして、画像分析部２０は、各サブフレームの差分を示すデータ（以下、「差分データ」と言う）を生成し、タイミング生成部３０と表示データ合成部４０とに送信する。
【００３６】
なお、画像分析部２０は、差分データを、所定のタイミングで送信すればよい。ただし、以下の説明では、説明を簡便にするため、画像分析部２０は、フレーム毎にサブフレームの差分データを送信するとして説明する。このため、差分データは、フレーム毎に、サブフレームの数に対応した複数のデータとなる。
【００３７】
ただし、本実施形態の画像分析部２０は、各フレームにおける全てのサブフレームの差分データを送信する必要はない。例えば、画像分析部２０は、差分が所定の値より小さいサブフレームの差分データを送信しなくてもよい。後ほど説明する差分データを用いて動作する構成（例えば、タイミング生成部３０）は、差分データが来ないことを基に、差分が所定のしきい値より小さいことを判別できる。つまり、差分データを用いて動作する構成は、差分データが来ない場合、差分が小さいと判断して動作できる。つまり、差分データを用いて動作する構成は、差分を受け取らない場合も、差分データを受け取った場合と同様に動作できる。そのため、以下の説明では、特に断らない限り、差分データを送らない場合を含めて、各フレームの全てのサブフレームの差分データを送信するとして説明する。
【００３８】
また、本実施形態のサブフレームの分割は、表示部５０において、独立に制御できる表示領域を基に決めればよい。
【００３９】
図２は、本実施形態のサブフレーム分割の一例を示す図である。
【００４０】
図２は、表示部５０が、図の上下方向に６分割（６行に分割）、左右方向に８分割（８列に分割）して制御できる場合のサブフレームの一例である。図２において、サブフレームは、制御できる個別の領域毎に設定されている。そのため、サブフレームの数は、６×８＝４８となる。
【００４１】
ただし、本実施形態のサブフレームは、制御できる領域を合わせた領域としてもよい。
【００４２】
図３は、本実施形態のサブフレーム分割の一例を示す図である。
【００４３】
図３（Ａ）は、水平方向の領域を１つにまとめた場合、つまり、表示部５０の制御範囲を行方向（Ｘ方向）でまとめてサブフレームを割り当てた場合を示す図である。
【００４４】
図３（Ｂ）は、垂直方向の領域を１つにまとめた場合、つまり、表示部５０の制御範囲を列方向（Ｙ方向）でまとめてサブフレームを割り当てた場合を示す図である。
【００４５】
本実施形態の画像表示装置１は、サブフレームの数を多くすると、消費電力をより詳細に制御できる。しかし、サブフレームの数を多くすると、画像表示装置１は、制御のための処理資源（例えば、処理の時間や制御回路）を多く必要とする。
【００４６】
本実施形態の画像表示装置１におけるサブフレーム分割は、特に制限はないが、消費電力の削減量と、制御に必要なリソース量とを基に決定すればよい。
【００４７】
図１を用いた説明に戻る。
【００４８】
タイミング生成部３０は、差分データを受け取り、サブフレームの表示データを更新するためのタイミング（サブフレームのリフレッシュタイミング）を判定する。そして、タイミング生成部３０は、判定結果を基に、サブフレームを更新するタイミングを示すタイミング信号を生成又は選択し、表示データ合成部４０及び表示部５０に送信する。タイミング信号は、サブフレーム毎に信号である。そのため、タイミング生成部３０は、複数のタイミング信号を送信する。
【００４９】
図４を参照して、タイミング生成部３０についてさらに説明する。
【００５０】
図４は、タイミング生成部３０の構成の一例を示すブロック図である。
【００５１】
タイミング生成部３０は、タイミング判定部３１０と、タイミング信号発生部３２０とを含む。
【００５２】
タイミング判定部３１０は、画像分析部２０から受信した差分データを基に、サブフレーム毎に、表示データの更新タイミング（リフレッシュタイミング）を判定し、判定結果をタイミング信号発生部３２０に送信する。
【００５３】
ただし、後ほど説明するようにタイミング信号発生部３２０は、所定の周波数のタイミング信号を発生する。そのため、タイミング判定部３１０は、差分データを基に、タイミング信号発生部３２０において発生可能な周波数となる判定結果を送信してもよい。
【００５４】
なお、フリッカーは、利用者により感じ方が異なる。そのため、タイミング判定部３１０は、画像表示装置１の利用者が操作する図示しない外部装置から、利用者が希望するリフレッシュタイミングを示す任意設定データを受け取り、任意設定データを基にした判定結果を、タイミング信号発生部３２０に送信してもよい。
【００５５】
タイミング信号発生部３２０は、タイミング判定部３１０から受信した判定結果を基に、各サブフレームのリフレッシュタイミングを示すタイミング信号を発生し、表示データ合成部４０及び表示部５０に送信する。
【００５６】
本実施形態のタイミング信号発生部３２０のタイミング信号の発生の手段は、特に制限はない。
【００５７】
例えば、タイミング信号発生部３２０は、電圧制御発信器（ＶＣＯ：Voltage Controlled Oscillator）と位相同期回路（ＰＬＬ：Phase Locked Loop）とを備えたシンセサイザを含んでもよい。この場合、タイミング信号発生部３２０は、シンセサイザを用いて判定結果で示される周波数のタイミング信号を発生する。
【００５８】
あるいは、タイミング信号発生部３２０は、図４に示すように、分周器及び逓倍器を含んでもよい。この場合、タイミング信号発生部３２０は、基準発信器が発生した信号（基準信号）を基に、分周器及び逓倍器を用いて複数の周波数の信号を発生する。そして、タイミング信号発生部３２０は、判定結果を基に、選択部を用いて、複数の周波数の信号から判定結果に対応する周波数の信号をタイミング信号として選択し、送信する。
【００５９】
なお、タイミング信号発生部３２０が含む分周器及び逓倍器の数は、制限がない。タイミング信号発生部３２０は、１つ又は複数の分周器を含んでもよい。また、タイミング信号発生部３２０は、１つ又は複数の逓倍器を含んでもよい。また、タイミング信号発生部３２０は、分周器又は逓倍器のどちらかを含まなくてもよい。
【００６０】
あるいは、タイミング信号発生部３２０は、基準発信器の代わりに図示しない外部装置から基準信号を受信してもよい。
【００６１】
図１を用いた説明に戻る。
【００６２】
表示データ合成部４０は、画像データと差分データとタイミング信号とを受信し、表示部５０が表示するデータ（表示データ）を生成し、表示部５０に送信する。
【００６３】
なお、表示データ合成部４０は、表示データをフレームに合成してから、フレーム単位で表示部５０に送信してもよい。あるいは、表示データ合成部４０は、表示データをサブフレーム単位で、表示部５０に送信してもよい。
【００６４】
また、表示部５０が表示データを図示しないメモリに保存する場合、表示データ合成部４０は、表示データをメモリに送信してもよい。
【００６５】
以下では、一例として、表示データ合成部４０は、フレームに合成してから表示データを送るとして説明する。
【００６６】
図５は、表示データ合成部４０の構成の一例を示すブロック図である。
【００６７】
表示データ合成部４０は、データ生成部４１０と、組み上げ部４２０とを含む。
【００６８】
データ生成部４１０は、画像データと差分データとタイミング信号とを基に、サブフレーム毎に、表示部５０で表示する表示データを生成する。
【００６９】
具体的には、データ生成部４１０は、次のように動作する。
【００７０】
データ生成部４１０は、各サブフレームの差分データに基づいて、サブフレーム間の補間データを生成する。例えば、データ生成部４１０は、所定のしきい値と差分データとを比較する。そして、差分データがしきい値より大きい場合、データ生成部４１０は、補間データを生成し、組み上げ部４２０に送信する。
【００７１】
本実施形態のしきい値は、１つに限る必要はなく、２つ以上でもよい。例えば、データ生成部４１０は、２つのしきい値（以下、しきい値Ａ及びＢと言う。ただし、Ａ＜Ｂとする。）を保存し、差分データとの比較を基に、次のように動作してもよい。
【００７２】
（１）差分データ＜しきい値Ａ
データ生成部４１０は、差分データが小さいと判断し、補間データを生成しない。データ生成部４１０は、サブフレームのデータを組み上げ部４２０に送信する。なお、差分データが小さい場合、データ生成部４１０は、サブフレームのデータの一部を組み上げ部４２０に送信しなくてもよい。
【００７３】
（２）しきい値Ａ≦差分データ＜しきい値Ｂ
データ生成部４１０は、差分データが中程度と判断し、サブフレーム間の補間データ（第１補間データ）を生成する。そして、データ生成部４１０は、サブフレームのデータと第１補間データを組み上げ部４２０に送信する。
【００７４】
（３）しきい値Ｂ≦差分データ
データ生成部４１０は、差分データが大きいと判断し、第１補間データに加え、第１補間データとサブフレームとの補間データ（第２補間データ）を生成する。そして、データ生成部４１０は、サブフレームのデータと第１補間データと第２補間データとを組み上げ部４２０に送信する。
【００７５】
なお、本実施形態のデータ生成部４１０がデータの生成に用いる手法は、特に制限はない。データ生成部４１０は、例えば、フレーム補間法、又は、フレーム予測法を用いればよい。
【００７６】
組み上げ部４２０は、タイミング信号を基に、データ生成部４１０が生成したサブフレーム毎のデータを組み上げ、フレーム単位の表示データを作成し、表示部５０に送る。
【００７７】
表示データ合成部４０の動作について、図面を参照してさらに説明する。
【００７８】
図６は、補間法を用いた表示データ合成部４０の動作の一例について説明する図である。
【００７９】
図６は、一例として、３つのサブフレームを含むフレームの場合について示す。図６の示す３つのサブフレームは、サブフレーム１（サブ１）、サブフレーム２（サブ２）、及び、サブフレーム３（サブ３）である。また、差分データの判定は、２つのしきい値を用いるとする。
【００８０】
図６の各サブフレーム（サブ）のデータの番号は、サブの次の数字が、サブフレームの番号である。例えば、サブ２ｘ（ｘは、任意の正の整数）は、サブフレーム２（サブ２）のデータを示す。
【００８１】
また、図６のデータ生成部４１０の中の各枠は、データ群を示す。
【００８２】
第１フレームは、最初（第１）のフレームに関するサブフレームのデータ群である。サブフレームの番号は、サブフレームの数字の次の数字（２つ目の数字）が、フレームの番号（「１」）である。例えば、サブ１１は、サブフレーム１の第１フレームのデータである。
【００８３】
第２フレームは、次（第２）のフレームに関するサブフレームのデータ群である。第１フレームと同様に、サブフレームの２つ目の数字が、フレームの番号（「２」）である。例えば、サブ３２は、サブフレーム３の第２フレームのデータである。
【００８４】
第１補間フレームは、第１フレーム群のサブフレームのデータと第２フレーム群のサブフレームのデータとを補間して作成したサブフレームの補間データ群である。サブフレームのデータの番号は、「時間的に前のデータの番号＋後のデータ番号」となっている。例えば、サブ２１２２は、サブフレーム２の第１フレームのデータであるサブ２１と、サブフレーム２の第２フレームのデータであるサブ２２とを補完したデータである。
【００８５】
第２補間フレームは、第１補間フレーム群のサブフレームのデータと、第１フレーム群又は第２フレーム群のサブフレームのデータとを補間して作成したサブフレームの補間データ群である。サブフレームの番号は、第１補間フレーム群と同様である。
【００８６】
また、図６の示す各サブフレームの差分データ、及び、差分データに基づいて使用するデータ群の範囲は、次のとおりである。
【００８７】
（１）サブフレーム１
サブフレーム１は、第１フレームのデータと第２フレームのデータとの差分データが小さい。そのため、サブフレーム１は、第１フレームのデータを用い、第２フレームのデータを用いない。
【００８８】
（２）サブフレーム２
サブフレーム２は、第１フレームのデータと第２フレームのデータとの差分データが大きい。そのため、サブフレーム２は、第１フレーム、第２フレーム、及び、第１補間フレーム群のデータに加え、第２補間フレーム群のデータを使用する。
【００８９】
なお、第１補間フレーム群のサブ２２２３は、サブフレーム２の第２フレームのデータ（サブ２２）と、第３フレームのデータ（サブ２３）との補間データである。また、サブ２２２３２３は、第１補間データのサブ２２２３と第３フレームのデータ（サブ２３）との補間データである。そのため、図６において、例示的に、サブフレーム３の第３フレームのデータであるサブ２３からの矢印を記載した。
【００９０】
（３）サブフレーム３
サブフレーム３は、第１のフレームのデータと第２のフレームのデータとの差分データが中程度である。そのため、サブフレーム３は、第１フレーム及び第２フレームのサブフレーム３のデータに加え、第１補間フレームのサブフレーム３のデータを使用する。
【００９１】
データ生成部４１０は、各サブフレームで用いるデータを、組み上げ部４２０に送信する。
【００９２】
組み上げ部４２０は、データ生成部４１０から受け取ったデータを組み上げて表示データ作成し、表示部５０に送る。
【００９３】
例えば、表示データ合成部４０は、次に示すサブフレーム１乃至サブフレーム３のデータを合成したフレームのデータを、順番に組み上げ、表示データとして表示部５０に送信する。
【００９４】
（１）サブ１１＋サブ２１        ＋サブ３１
（２）サブ１１＋サブ２１２１２２＋サブ３１
（３）サブ１１＋サブ２１２２    ＋サブ３１３２
（４）サブ１１＋サブ２１２２２２＋サブ３１３２
（５）サブ１１＋サブ２２        ＋サブ３２
（６）サブ１１＋サブ２２２２２３＋サブ３２
（７）サブ１１＋サブ２２２３    ＋サブ３２
（８）サブ１１＋サブ２２２３２３＋サブ３２
なお、図６では、サブフレーム毎に補間データを作成する例を示したが、本実施形態のデータ生成部４１０は、これに限らない。データ生成部４１０は、隣接するサブフレームを用いて補間データを作成してもよい。
【００９５】
図１を用いた説明に戻る。
【００９６】
表示部５０は、表示データを受信し、表示する。ただし、表示部５０は、タイミング信号を基に、サブフレームの表示を更新（リフレッシュ）する。
【００９７】
なお、表示部５０は、表示データを保存するための図示しないメモリを備えてもよい。あるいは、表示部５０は、表示部５０とは異なる図示しない外部メモリに表示データを保存してもよい。
【００９８】
なお、既に説明したように、表示部５０が、表示データを外部メモリに保存する場合、表示データ合成部４０は、表示データを外部メモリに保存してもよい。この場合、表示部５０は、表示データ合成部４０から表示データを受信しなくてもよい。
【００９９】
図７は、表示部５０の構成の一例を示す図である。
【０１００】
表示部５０は、駆動制御部５１０と、ゲートドライバ５２０と、ソースドライバ５３０と、表示器５４０とを含む。
【０１０１】
表示器５４０は、画像データを視認可能な状態に表示する。表示器５４０は、具体的には、例えば、１つ又は複数の液晶やプラズマディスプレイの表示セルである。
【０１０２】
ゲートドライバ５２０及びソースドライバ５３０は、表示器５４０を駆動（ドライブ）する２軸方向のドライバである。ゲートドライバ５２０及びソースドライバ５３０は、どちらが水平方向でもよい。図７では一例として、ゲートドライバ５２０は、横方向（行方向、又は、Ｘ方向）の駆動し、ソースドライバ５３０は、縦方向（列方向、又は、Ｙ方向）を駆動する。
【０１０３】
なお、液晶などの表示器のセルの駆動するドライバ又は信号の名称は、ゲートドライバ５２０及びソースドライバ５３０以外にも、各種の名称（例えば、セグメントドライバ、コモンドライバ、走査ドライバ、アドレスドライバ）が用いられている。これらの名称を用いる場合、本実施形態の説明のゲートドライバ５２０及びソースドライバ５３０を、適宜、読み替えればよい。
【０１０４】
駆動制御部５１０は、ゲートドライバ５２０とソースドライバ５３０とを制御し、表示器５４０に表示データを表示する。
【０１０５】
さらに、駆動制御部５１０は、サブフレーム毎の表示の更新（リフレッシュ）を制御する。そのため、駆動制御部５１０は、ゲートドライバ５２０及びソースドライバ５３０をサブフレームに対応した数に分割して制御する。なお、図３（Ａ）及び図３（Ｂ）に示すように、１つの方向でサブフレームを分割する場合、駆動制御部５１０は、ゲートドライバ５２０又はソースドライバ５３０のいずれかを分割して制御する。
【０１０６】
図８は、ゲートドライバ５２０とソースドライバ５３０の分割の一例を示す図である。
【０１０７】
図８は、ゲートドライバ５２０を７分割、ソースドライバ５３０を１０分割した場合を示す図である。図８に示すサブフレームの数は、７×１０＝７０個となる。
【０１０８】
図８において、最も上の行で最も左の列のサブフレームを制御する場合、駆動制御部５１０は、ゲートドライバ５２０のＧＤ０と、ソースドライバ５３０のＳＤ０とを制御する。また、図８の「１」を表示するサブフレームを制御する場合、駆動制御部５１０は、ゲートドライバ５２０のＧＤ５と、ソースドライバ５３０のＳＤ１を制御する。
【０１０９】
なお、駆動制御部５１０は、各ドライバの制御として、いろいろな制御手法を用いることができる。
【０１１０】
例えば、駆動制御部５１０は、タイミング信号の変化を基に、各サブフレームに対応するドライバを制御してもよい。
【０１１１】
あるいは、表示部５０において、タイミング信号を、各ドライバに入力しておき、駆動制御部５１０は、各ドライバがサブフレームに表示するデータ（画像データ）を操作してもよい。
【０１１２】
なお、本実施形態の表示部５０は、表示器５４０を含まず、ゲートドライバ５２０及びソースドライバ５３０が図示しない外部の表示装置を駆動（ドライブ）してもよい。この場合、表示部５０は、各ドライバの出力を外部の表示装置に送信する。
【０１１３】
また、表示部５０は、ゲートドライバ５２０とソースドライバ５３０と表示器５４０とを含まず、駆動制御部５１０が図示しない外部のドライバを含む表示装置を制御してもよい。この場合、表示部５０は、タイミング信号と駆動制御部５１０が各ドライバを制御するための信号とを、外部の表示装置に送信する。
【０１１４】
なお、既に説明したとおり、表示データ合成部４０から表示部５０に送る表示データは、フレーム単位ではなく、サブフレーム単位でもよい。
【０１１５】
表示データ合成部４０がサブフレーム単位で送信する場合、表示データ合成部４０は、例えば、図６の説明において、表示部５０に、次に示す更新されたサブフレームの表示データを送信する。
【０１１６】
（１）サブ１１＋サブ２１＋サブ３１
（２）サブ２１２１２２
（３）サブ２１２２＋サブ３１３２
（４）サブ２１２２２２
（５）サブ２２＋サブ３２
（６）サブ２２２２２３
（７）サブ２２２３
（８）サブ２２２３２３
表示部５０は、受け取った表示データを、各サブフレームの更新データとして、表示を更新する。
【０１１７】
次に、本実施形態の画像表示装置１のタイミング信号について、図面を参照して説明する。
【０１１８】
説明に用いる表示は、図８に示す表示とする。
【０１１９】
既に説明したとおり、図８に示すサブフレームの分割は、上下方向に７分割、左右方向に１０分割である。以降の説明では、サブフレームの名称として、図８に示すゲートドライバ５２０の分割名（ＧＤｘ）とソースドライバ５３０の分割名（ＳＤｘ）との組み合わせを用いる。例えば、表示器５４０の左上隅のサブフレームは、「サブ［ＧＤ０−ＳＤ０］」と言う。
【０１２０】
図８に示す表示器５４０は、表示の一例として時間を表示する。表示は、左から、「２桁の分」及び「整数２桁と小数２桁の秒」となっている。
【０１２１】
そして、図８における表示器５４０の時間の表示は、ゲートドライバ５２０の上から６番目（下から２番目の）の行（ＧＤ５）となっている。また、表示器５４０の時間の表示は、ソースドライバ５３０の左から２番目から９番目の列（ＳＤ１−ＳＤ８）となっている。
【０１２２】
図８に示す時間の表示は、時間の経過とともに変化する。
【０１２３】
図９は、図８の表示の変化の一例を示す図である。
【０１２４】
図９において、表示器５４０の左側の表示は、時間の経過とともに、順次、右側の表示に変化する。
【０１２５】
図９の表示からも明らかなように、時間を表示する行（ＧＤ５）のサブフレームの表示は、次のとおりである。
【０１２６】
１００分の１秒を表示するサブ［Ｄ５−ＳＤ８］は、最も表示の変更の頻度が多い。そのため、サブ［ＧＤ５−ＳＤ８］のタイミング信号は、最も高い周波数（リフレッシュレート）のタイミング信号となる。
【０１２７】
１０分の１秒を表示するサブ［ＧＤ５−ＳＤ７］は、２番目に表示の変更の頻度が多い。ただし、この頻度は、１００分の１秒を表示するサブ［ＧＤ５−ＳＤ８］の１０分の１である。したがって、このサブ［ＧＤ５−ＳＤ７］のタイミング信号は、他のサブフレームより高いが、サブ［ＧＤ５−ＳＤ８］より低い周波数（リフレッシュレート）のタイミング信号となる。
【０１２８】
以下、整数の秒を表示するサブ［ＧＤ５−ＳＤ５］とサブ［ＧＤ５−ＳＤ４］、及び、分を表示するサブ［ＧＤ５−ＳＤ２］とサブ［ＧＤ５−ＳＤ１］は、同様に、順次、更新の頻度が低下する。
【０１２９】
また、表示がないサブフレーム（サブ［ＧＤ５−ＳＤ０］、サブ［ＧＤ５−ＳＤ９］）及び区切りを示す記号を表示するサブフレーム（サブ［ＧＤ５−ＳＤ３］、サブ［Ｄ５−ＳＤ６］）は、表示が変化しない。そのため、これらのサブフレームのタイミング信号は、最も低い周波数（リフレッシュレート）のタイミング信号となる。
【０１３０】
なお、時間を表示していない範囲のサブフレーム（１行目（ＧＤ０）から５行目（ＧＤ４）、及び、７行目（ＧＤ６））も表示を更新しないため、これらのサブフレームのタイミング信号は、最も低い更新周波数（リフレッシュレート）でよい。
【０１３１】
図１０は、代表的なサブフレームのタイミング信号の一例を示す図である。
【０１３２】
タイミング信号の周波数（リフレッシュレート）は、表示器５４０の表示セルの仕様と、必要な表示変更周期と、タイミング信号発生部３２０の発生できる周波数とに基づいて決定されることが望ましい。
【０１３３】
ただし、１００分の１秒は、１００Ｈｚである。また、一般的な表示におけるリフレッシュレートの基準信号は、６０Ｈｚが多い。
【０１３４】
そのため、図１０において、１００分の１秒を表示するサブ［ＧＤ５−ＳＤ８］のタイミング信号は、フリッカーを低減するため、一般的な基準信号に４倍（２４０Ｈｚ）とした。そして、表示する時間（秒）が１桁上がる毎に、サブフレームのタイミング信号の周波数は、半分とした。つまり、図１０に示すタイミング信号は、秒の１の位を表示するサブフレームのリフレッシュレートを一般的な基準信号の６０Ｈｚとし、１桁上がるごとに周波数を半分に、１桁下がる毎に周波数を倍とした場合のタイミング信号の例である。ゲートドライバ５２０の６行目（ＧＤ５）のサブフレームの周波数を整理すると次のようになる。
【０１３５】
サブ［ＧＤ５−ＳＤ０］：最低周波数
サブ［ＧＤ５−ＳＤ１］：基準信号の８分の１周波数（７．５Ｈｚ）
サブ［ＧＤ５−ＳＤ２］：基準信号の４分の１の周波数（１５Ｈｚ）
サブ［ＧＤ５−ＳＤ３］：最低周波数
サブ［ＧＤ５−ＳＤ４］：基準信号の半分の周波数（３０Ｈｚ）
サブ［ＧＤ５−ＳＤ５］：基準信号と同じの周波数（６０Ｈｚ）
サブ［ＧＤ５−ＳＤ６］：最低周波数
サブ［ＧＤ５−ＳＤ７］：基準信号の２倍の周波数（１２０Ｈｚ）
サブ［ＧＤ５−ＳＤ８］：基準信号の４倍の周波数（２４０Ｈｚ）
サブ［ＧＤ５−ＳＤ９］：最低周波数
図１０の１行目の信号は、一般的な基準信号（６０Ｈｚ）を示す。
【０１３６】
２行目に示すタイミング信号は、秒の１０の位を表示するサブ［ＧＤ５−ＳＤ４］のタイミング信号である。サブ［ＧＤ５−ＳＤ４］のタイミング信号の周波数は、基準信号の半分の周波数（３０Ｈｚ）である。
【０１３７】
３行目に示すタイミング信号は、秒の桁を表示するサブ［ＧＤ５−ＳＤ５］のタイミング信号である。サブ［ＧＤ５−ＳＤ５］のタイミング信号の周波数は、基準信号と同じ周波数（６０Ｈｚ）である。
【０１３８】
４行目に示すタイミング信号は、小数点を表示するサブ［ＧＤ５−ＳＤ６］のタイミング信号である。小数点の表示は変化しないため、サブ［ＧＤ５−ＳＤ６］のタイミング信号の周波数は、最も低い周波数（最低周波数）である。図１０では、一例として、基準信号の８分の１の周波数（７．５Ｈｚ）として示した。
【０１３９】
５行目に示すタイミング信号は、１０分の１秒を示すサブ［ＧＤ５−ＳＤ７］のタイミング信号である。サブ［ＧＤ５−ＳＤ７］のタイミング信号の周波数は、基準信号の倍の周波数（１２０Ｈｚ）である。
【０１４０】
６行目に示すタイミング信号は、１００分の１秒を示すサブ［ＧＤ５−ＳＤ８］のタイミング信号である。サブ［ＧＤ５−ＳＤ８］のタイミング信号の周波数は、既に説明したとおり、基準信号の４倍の周波数（２４０Ｈｚ）である。
【０１４１】
このように、本実施形態の画像表示装置１は、サブフレーム毎に適切なリフレッシュレートのタイミング信号を用いる。
【０１４２】
その結果、本実施形態の画像表示装置１は、フリッカーを低減しながら、画像を更新する領域（サブフレーム）の消費電力を削減できる効果を得ることができる。
【０１４３】
その理由は、次のとおりである。
【０１４４】
画像表示装置１は、更新の頻度が高いサブフレーム（例えば、図８のサブ［ＧＤ５−ＳＤ８］）の更新のためのタイミング信号として、フリッカーの低減に必要な周波数のタイミング信号を用いる。そのため、画像表示装置１は、更新の頻度の高いサブフレーム（領域）のフリッカーを低減できる。
【０１４５】
一方、画像表示装置１は、更新の頻度の低いサブフレーム（例えば、図８のサブ［ＧＤ５−ＳＤ１］）の更新のためのタイミング信号として、更新頻度が高いサブフレームのタイミング信号より低い周波数のタイミング信号を用いる。そのため、画像表示装置１は、更新の頻度の低いサブフレーム（領域）の消費電力を削減できる。つまり、画像表示装置１は、表示を更新する領域（サブフレーム）でも、更新の頻度を基に、低い更新の頻度の領域（サブフレーム）のリフレッシュレートを低減し、消費電力を削減できる。
【０１４６】
例えば、図８に示す画像の場合、画像表示装置１は、１００分の１秒を表示するサブフレーム（サブ［ＧＤ５−ＳＤ８］）のリフレッシュレートの周波数を高くし、フリッカーを低減する。一方、画像表示装置１は、例えば、分を表示するサブフレーム（サブ［ＧＤ５−ＳＤ１］及びサブ［ＧＤ５−ＳＤ２］）のリフレッシュレートを、基準信号より低い周波数とし、電力の消費を低減する。
【０１４７】
また、図８において、表示の更新が発生するサブフレームは、７０個のサブフレームの中の６個である。そのため、画像表示装置１は、７０個のサブフレームの内の６４個のサブフレーム（約９１％）のリフレッシュレートを最低周波数とし、全体の消費電力も削減する。
【０１４８】
なお、本実施形態の画像表示装置１の構成は、これまでの説明に限らない。画像表示装置１は、これまで別構成として説明した複数の構成を１つの構成としても良い。あるいは、画像表示装置１は、１つの構成を複数の構成に分けても良い。また、画像表示装置１は、ＣＰＵ（Central Processing Unit）と、ＲＯＭ（Read Only Memory）と、ＲＡＭ（Random Access Memory）と、ＮＩＣ（Network Interface Circuit 又は Network Interface Card）と、ＧＰＵ（Graphics Processing Unit）とを含むコンピュータとして実現しても良い。
【０１４９】
図１１は、本実施形態の別の構成である画像表示装置６の構成の一例を示すブロック図である。
【０１５０】
画像表示装置６は、ＣＰＵ６１０と、ＲＯＭ６２０と、ＲＡＭ６３０と、ＩＯ（Input/Output）６４０と、ＮＩＣ６５０と、ＧＰＵ６６０とを含む。さらに、画像表示装置６は、ＩＯ６４０に接続した内部記憶装置７１０及び入力機器７２０と、ＧＰＵ６６０に接続した表示機器７３０とを含む。画像表示装置６は、これらの構成を含み、コンピュータを構成する。
【０１５１】
ＣＰＵ６１０は、ＲＯＭ６２０、又は、ＩＯ６４０を介して内部記憶装置７１０からプログラムを読み込む。そして、ＣＰＵ６１０は、読み込んだプログラムに基づいて、ＧＰＵ６６０を制御して、既に説明した本実施形態の画像表示装置１としての各機能を実現する。ＣＰＵ６１０は、各機能を実現する際に、ＲＡＭ６３０及び内部記憶装置７１０を一時記憶として使用する。また、ＣＰＵ６１０は、ＮＩＣ６５０を介して画像データを受信する。さらに、ＣＰＵ６１０は、ＩＯ６４０を介して、入力機器７２０から入力データを受信する。
【０１５２】
なお、ＣＰＵ６１０は、コンピュータで読み取り可能にプログラムを記憶した記憶媒体８００が含むプログラムを、図示しない記憶媒体読み取り装置を用いて読み込んでも良い。あるいは、ＣＰＵ６１０は、ＮＩＣ６５０を介して図示しない外部記憶装置からプログラムを読み込んでも良い。
【０１５３】
ＧＰＵ６６０は、画像表示装置６が受け取った画像データを基に、表示機器７３０を表示部５０又は表示器５４０として制御し、既に説明した画像表示装置１としての画像データ及び表示データの処理を実現する。ＧＰＵ６６０は、処理を実現するためのプログラムをＣＰＵ６１０から受け取ってもよく、ＲＯＭ６２０から読み込んでもよい。また、ＧＰＵ６６０は、各データの記憶場所としてＲＡＭ６３０又は内部記憶装置７１０を用いてもよい。
【０１５４】
ＲＯＭ６２０は、ＣＰＵ６１０が実行するプログラム、及び、固定的なデータを記憶する。また、ＲＯＭ６２０は、ＧＰＵ６６０が実行するプログラムを含んでもよい。ＲＯＭ６２０は、例えば、Ｐ−ＲＯＭ(Programmable-ROM）やフラッシュＲＯＭである。
【０１５５】
ＲＡＭ６３０は、ＣＰＵ６１０が実行するプログラムやデータを一時的に記憶する。ＲＡＭ６３０は、格納部１０として動作してもよい。また、ＲＡＭ６３０は、ＧＰＵ６６０が用いる表示データを記憶してもよい。ＲＡＭ６３０は、例えば、Ｄ−ＲＡＭ（Dynamic-RAM）である。
【０１５６】
ＩＯ６４０は、内部記憶装置７１０及び入力機器７２０とＣＰＵ６１０と接続し、データを送受信する。ＩＯ６４０は、例えば、ＩＯインターフェースカードである。
【０１５７】
ＮＩＣ６５０は、画像データを送信する図示しない撮影装置と接続し、画像データを受信する。ＮＩＣ６５０は、例えば、ＬＡＮ（Local Area Network）カードである。
【０１５８】
内部記憶装置７１０は、画像表示装置６の長期的に保存するデータやプログラムを保存する。また、内部記憶装置７１０は、ＣＰＵ６１０の一時記憶装置として動作しても良い。さらに、内部記憶装置７１０は、データ格納部１０として動作してもよい。内部記憶装置７１０は、例えば、ハードディスク装置、光磁気ディスク装置、ＳＳＤ、又は、ディスクアレイ装置である。
【０１５９】
入力機器７２０は、画像表示装置６の操作者からの指示のデータを受信し、ＣＰＵ６１０に送信する。入力機器７２０は、例えば、キーボードやマウスである。
【０１６０】
表示機器７３０は、ＧＰＵ６６０に制御されて画像を表示する。表示機器７３０は、画像表示装置１の表示部５０又は表示部５０に相当する。表示機器７３０は、例えば、液晶表示装置やプラズマ表示装置である。
【０１６１】
このように構成された画像表示装置６は、画像表示装置１と同様の効果を得ることができる。
【０１６２】
その理由は、画像表示装置６のＣＰＵ６１０及びＧＰＵ６６０が、プログラムに基づいて画像表示装置１と同様の動作を実現できるためである。
【０１６３】
（第２の実施形態）
第１の実施形態の画像表示装置１の説明は、画像を表示するサブフレームの位置が固定で、表示の更新の頻度が一定の場合を説明した。
【０１６４】
しかし、画像表示装置１は、画像を表示するサブフレームの位置や更新の頻度が、時間とともに変化してもよい。
【０１６５】
そこで、本発明の第２の実施形態として、画像を表示するサブフレームの位置が変化する画像表示装置１について図面を参照して説明する。
【０１６６】
なお、本実施形態の画像表示装置１の構成は、第１の実施形態の画像表示装置１と同じため、構成の説明は、省略する。
【０１６７】
また、本実施形態の画像表示装置１の動作は、タイミング信号の切り換えを除き、第１の実施形態の同様のため、タイミング信号について、図面を参照して説明する。
【０１６８】
なお、サブフレームが、画像の変化する状態から、画像が固定又は表示なしの状態に移行した場合、本実施形態の画像表示装置１は、サブフレームのタイミング信号の周波数を、途中の周波数を経由せずに、最低周波数に切り換えてもよい。また、サブフレームが、固定画像又は表示なしの状態から画像の変化する状態に移行した場合、本実施形態の画像表示装置１は、サブフレームのタイミング信号の周波数を、最低周波数から、途中の周波数を経由せずに、必要な周波数に切り換えてもよい。
【０１６９】
しかし、回路で用いる周波数の変化が大きい場合、ノイズやフリッカーが、発生しやすい。
【０１７０】
そこで、本実施形態の画像表示装置１は、タイミング信号の周波数を切り換える場合、中間段階の周波数を経由する。画像表示装置１は、周波数の切り換える構成に制限はない。例えば、画像分析部２０は、差分を検出した場合、差分データを一度に変化させず、段階的に変化させてもよい。あるいは、タイミング生成部３０のタイミング判定部３１０は、判定結果を、段階的に変化させてもよい。
【０１７１】
以下の説明では、一例として、タイミング信号の周波数を、順次、倍又は半分に変更するとして説明する。
【０１７２】
図１２は、本実施形態の画像表示装置１の説明に用いる表示器５４０の表示の一例を示す図である。
【０１７３】
図１２に示す画像表示装置１の表示器５４０は、サブ［ＧＤ２−ＳＤ０］−サブ［ＧＤ３−ＳＤ２］を対角とする長方形の範囲に、画像（一例として、「飛行機」を示す）を表示する。
【０１７４】
図１３は、図１２の表示の変化の一例を示す図である。
【０１７５】
図１３において、表示器５４０の表示は、時間とともに、左側の表示が、順次、右側の表示に変化する。つまり、画像表示装置１は、飛行機の画像を、右方向に移動させる。
【０１７６】
図１４は、画像表示装置１が、図１３に示すように表示する場合の、代表的なサブフレームのタイミング信号の一例を示す図である。
【０１７７】
図１４の１行目の信号は、参考として示す、基準信号である。基準信号は、例えば、６０Ｈｚの信号である。また、図１４は、表示画像が、基準信号の３／２クロック分の時間経過で、１つのサブフレームを移動する場合の信号を示す。そのため、１行目の信号の上の数字は、サブフレームの表示状態の変化に対応した状態番号を示す。例えば、状態１は、サブ［ＧＤ２−ＳＤ０］−サブ［ＧＤ３−ＳＤ２］の範囲に表示された飛行機の表示が、サブ［ＧＤ２−ＳＤ１］−サブ［ＧＤ３−ＳＤ３］の範囲の表示に移動する状態である。
【０１７８】
２行目の信号は、サブ［ＧＤ１−ＳＤ０］のタイミング信号である。サブ［ＧＤ１−ＳＤ０］は、画像の変化がない。そのため、画像表示装置１は、サブ［ＧＤ１−ＳＤ０］のタイミング信号の周波数を、最低周波数とする。（図１４では一例として、タイミング信号は、基準信号の周波数の８分の１として示す。）
３行目の信号は、サブ［ＧＤ２−ＳＤ０］のタイミング信号である。サブ［ＧＤ２−ＳＤ０］は、最初の状態（状態１）で画像を表示する。そのため、画像表示装置１は、サブ［ＧＤ２−ＳＤ０］のタイミング信号の周波数を、最大周波数（図１４では、基準信号の４倍の周波数）とする。次の状態（状態２）に入ると、サブ［ＧＤ２−ＳＤ０］は、画像を表示しない。そのため、画像表示装置１は、サブ［ＧＤ２−ＳＤ０］のタイミング信号の周波数を、最大周波数から低い周波数（図１４では、２倍の周波数）に変更する。さらに次の状態（状態３）に入ると、画像表示装置１は、サブ［ＧＤ２−ＳＤ０］のタイミング信号の周波数を、さらに低い周波数（図１４では、基準信号と同じ周波数）に変更する。サブ［ＧＤ２−ＳＤ０］が画像を表示しない状態が継続する場合、画像表示装置１は、予め決められた最低周波数まで、サブ［ＧＤ２−ＳＤ０］のタイミング信号の周波数を、適宜、下げていく。
【０１７９】
４行目の信号は、サブ［ＧＤ２−ＳＤ６］のタイミング信号である。サブ［ＧＤ２−ＳＤ６］は、状態３の次の状態（状態４）で表示を開始する。そのため、画像表示装置１は、状態４で最大周波数に（図１４では、基準周波数の４倍の周波数）なるように、サブ［ＧＤ２−ＳＤ６］のタイミング信号の周波数を上げる。
【０１８０】
５行目の信号は、サブ［ＧＤ３−ＳＤ３］のタイミング信号である。サブ［ＧＤ３−ＳＤ３］は、最初状態（状態１）で画像を表示しない。しかし、サブ［ＧＤ３−ＳＤ３］は、次の状態（状態２）で、画像を表示する。そのため、画像表示装置１は、状態１において、次に状態（状態２）で画像の表示を開始できるように、サブ［ＧＤ３−ＳＤ３］のタイミング信号の周波数を、最大周波数に近い周波数（図１４では、基準周波数の２倍の周波数）とする。そして、画像を表示する状態（状態２）に入ると、画像表示装置１は、サブ［ＧＤ３−ＳＤ３］のタイミング信号の周波数を、最高周波数（図１４では基準信号の４倍の周波数）とする。
【０１８１】
このようの動作する第２の実施形態の画像表示装置１は、第１の実施形態の画像表示装置１の効果に加え、表示画像の位置を変更する場合のタイミング信号の切り換え時のノイズと低減できる効果を得ることができる。
【０１８２】
その理由は、第２の実施形態の画像表示装置１は、第１の実施形態の画像表示装置１と同様の構成を含み、さらに、タイミング信号の周波数を切り替える場合、中間段階の周波数を経由して切り換えるためである。
【０１８３】
以上、実施形態を参照して本願発明を説明したが、本願発明は上記実施形態に限定されるものではない。本願発明の構成や詳細には、本願発明のスコープ内で当業者が理解し得る様々な変更をすることができる。
【符号の説明】
【０１８４】
１  画像表示装置
６  画像表示装置
１０  データ格納部
２０  画像分析部
３０  タイミング生成部
４０  表示データ合成部
５０  表示部
３１０  タイミング判定部
３２０  タイミング信号発生部
４１０  データ生成部
４２０  組み上げ部
５１０  駆動制御部
５２０  ゲートドライバ
５３０  ソースドライバ
５４０  表示器
６１０  ＣＰＵ
６２０  ＲＯＭ
６３０  ＲＡＭ
６４０  ＩＯ
６５０  ＮＩＣ
６６０  ＧＰＵ
７１０  記憶装置
７２０  入力機器
７３０  表示機器
８００  記憶媒体
【図１】
2013186264.tif 000003
【図２】
2013186264.tif 000004
【図３】
2013186264.tif 000005
【図４】
2013186264.tif 000006
【図５】
2013186264.tif 000007
【図６】
2013186264.tif 000008
【図７】
2013186264.tif 000009
【図８】
2013186264.tif 000010
【図９】
2013186264.tif 000011
【図１０】
2013186264.tif 000012
【図１１】
2013186264.tif 000013
【図１２】
2013186264.tif 000014
【図１３】
2013186264.tif 000015
【図１４】
2013186264.tif 000016